(57)【特許請求の範囲】
【請求項１】
シリンダ内に直接燃料を噴射する火花点火式内燃機関であって、
吸入空気が対向する排気弁下側のシリンダ壁面に衝突してピストン頂面方向に下方に曲げられて縦渦を形成するような形状の吸気ポートと、
吸気ポートのシリンダヘッド燃焼室開口部とシリンダボアとの間で吸気ポート下側の燃焼室壁面に噴口が開口して燃料を噴射し、噴射された燃料噴霧の上縁線が、前記噴口を通りシリンダ中心軸と直交する線より下側に位置するように配置された燃料噴射弁と、
吸気弁と排気弁との間で略シリンダ中心に配置される点火プラグと、
吸気弁に対応する側が凹面をなし、排気弁側に滑らかに盛り上がって、点火プラグよりも排気弁側でシリンダヘッド側に凸の稜線を両端がピストンの外周部まで延びるように有し、この稜線から直線的に燃焼室ペントルーフ天井に沿って傾斜する平面を有する冠面形状をもつピストンと、
を含んで構成される直噴火花点火式内燃機関。
【請求項２】
前記ピストンの外周部が、前記凹面よりも高く上死点位置でシリンダヘッドと微小な間隙で相対するフラットな面であることを特徴とする請求項１に記載の直噴火花点火式内燃機関。
【請求項３】
前記稜線の最高部の高さは、上死点位置で燃料噴射弁の噴口部以上の高さであることを特徴とする請求項１または請求項２に記載の直噴火花点火式内燃機関。
【請求項４】
前記稜線の最高部の高さは、前記外周部よりも高く、上死点位置で燃料噴射弁の噴口部以上の高さであることを特徴とする請求項３に記載の直噴火花点火式内燃機関。
【発明の詳細な説明】
【０００１】
【発明の属する技術分野】
本発明は、シリンダ内に直接燃料を噴射する火花点火式内燃機関（ガソリン機関）、すなわち直噴火花点火式内燃機関の改良に関し、特に、燃料によるオイル希釈、スモークの発生、燃焼の悪化などを改善する技術に関する。
【０００２】
【従来の技術】
従来の直噴火花点火式内燃機関として、特開平５−２４００４７号公報に開示されているようなものがある。また、特開平６−８１６５１号公報がある。更に特開平６−２０７５４２号公報に示すようなものもある。
【０００５】
【発明が解決しようとする課題】
しかしながら、このような従来の直噴火花点火式内燃機関にあっては、シリンダ内の縦渦の向きが、ピストン上死点付近でピストン頂面に沿って点火プラグ側へ噴出する燃料噴霧の方向と同一であって、燃料噴霧にとっては追い風となり、燃料噴霧が蒸発しないで点火プラグに到達しやすくなり、点火プラグの濡れやくすぶり、及びその周辺のシリンダヘッド下面への燃料の付着により、スモークの発生が懸念される構成となっていたため、ピストン上死点付近での燃料噴射時にスモークの発生が懸念される他、高速高負荷域など吸気行程噴射時のスモークが発生しやすくなる惧れがあった。
【０００６】
また、ピストン頂面に設けられた凹部と隆起部とが交わって形成される稜線の位置によっては燃料が点火プラグに付着し易くなってくすぶりや失火等を招き燃焼安定性が低下してしまうという惧れもあった。
【０００９】
本発明は、このような従来の実情に鑑みなされたもので、直噴火花点火式内燃機関において、燃料噴射系とピストン頂面形状の最適化を図る等すると共に、燃料噴霧を要求に見合った適正な状態に設定する等することにより、ピストン冠面やシリンダ壁面や点火プラグへの過度の燃料付着を防止し、以って直噴火花点火式内燃機関の運転性能，排気性能，スモーク排出性能，オイルダイリューション等の問題を解決することを目的とする。
【００１８】
【課題を解決するための手段】
このため、請求項１に記載の発明に係る直噴火花点火式内燃機関は、シリンダ内に直接燃料を噴射する火花点火式内燃機関であって、吸入空気が対向する排気弁下側のシリンダ壁面に衝突してピストン頂面方向に下方に曲げられて縦渦を形成するような形状の吸気ポートと、吸気ポートのシリンダヘッド燃焼室開口部とシリンダボアとの間で吸気ポート下側の燃焼室壁面に噴口が開口して燃料を噴射し、噴射された燃料噴霧の上縁線が、前記噴口を通りシリンダ中心軸と直交する線より下側に位置するように配置された燃料噴射弁と、吸気弁と排気弁との間で略シリンダ中心に配置される点火プラグと、吸気弁に対応する側が凹面をなし、排気弁側に滑らかに盛り上がって、点火プラグよりも排気弁側でシリンダヘッド側に凸の稜線を両端がピストンの外周部まで延びるように有し、この稜線から直線的に燃焼室ペントルーフ天井に沿って傾斜する平面を有する冠面形状をもつピストンと、を含んで構成するようにした。
【００１９】
かかる構成によれば、稜線による燃料噴霧のせき止め効果と、稜線より排気弁側での燃料噴射方向とは逆向きに生じる縦渦により、燃料噴霧が排気弁側へ進むのが抑制されて、シリンダ壁面への燃料付着が防止され、燃料によるオイル希釈を抑制できる。
【００２０】
更に、燃料噴霧がシリンダ内の縦渦に対向して点火プラグ側へ進むので、微粒化や蒸発が促進されて、点火に適した燃料蒸気塊が形成されると共に、点火プラグへの過度の燃料付着が防止され、スモークの発生を低減できる。
特にピストンについて、吸気弁に対応する側が凹面をなし、排気弁側に滑らかに盛り上がって、点火プラグよりも排気弁側でシリンダヘッド側に両端がピストンの外周部まで延びる凸の稜線を有し、この稜線から直線的に燃焼室ペントルーフ天井に沿って傾斜する平面を設けることにより、シリンダヘッド下面との間で上昇気流をつくり易くなり、この気流により燃料噴霧の排気弁側への進行をより効果的に阻止できる。
また、燃料噴霧の上縁線が、噴口を通りシリンダ中心軸と直交する線より下側に位置するように配置したことにより、シリンダヘッドの下面（燃焼室壁の上面壁）へ燃料噴霧が付着し、燃費，ＨＣ，スモーク等が悪化するのを防止できる。
【００２１】
請求項２に記載の発明では、特にピストンの外周部が凹面よりも高く上死点位置でシリンダヘッドと微小な間隙で相対するフラットな面である構成とする。
【００２２】
このような外周部を設けることにより、シリンダヘッド下面との間で燃料を巻き上げて、シリンダ壁面への燃料付着をより効果的に防止できる。
請求項３に記載の発明では、前記稜線の最高部の高さは、上死点位置で燃料噴射弁の噴口部以上の高さとする。
また、請求項４に記載の発明では、ピストン周縁部に凹面より高い外周部を有する場合に、前記稜線の最高部の高さは、前記外周部よりも高く、上死点位置で燃料噴射弁の噴口部以上の高さとする。
【００２３】
これらによって、燃料噴霧のせき止め効果をより完全に機能させることができる。
【００３１】
【発明の効果】
請求項１に記載の発明に係る直噴火花点火式内燃機関によれば、燃料噴射時期のいかんにかかわらず、シリンダ壁面への燃料付着や、点火プラグへの過度の燃料付着を防止して、燃料によるオイル希釈の抑制、スモークの発生の抑制、更には燃焼安定性の確保等を実現できるという効果が得られ、ピストンの稜線より排気弁側に傾斜した平面を設けることにより、シリンダヘッド下面との間で上昇気流をつくり易くなり、この気流により燃料噴霧の排気弁側への進行をより効果的に阻止できる。
【００３２】
請求項２に係る発明によれば、ピストンの周縁部に凹面よりも高く上死点位置でシリンダヘッドと微小な間隙で相対するフラットな面の外周部を設けることにより、シリンダヘッド下面との間で燃料を巻き上げて、シリンダ壁面への燃料付着をより効果的に防止できる。
請求項３又は請求項４に係る発明によれば、稜線の最高部の高さを適切なものとすることにより、燃料噴霧のせき止め効果をより完全にできる。
【００３４】
【発明の実施の形態】
以下に、本発明の実施の形態を添付の図面に基づいて説明する。
図１に示すように、本発明の第１の実施形態に係る直噴火花点火式内燃機関（ここでは、４弁式の内燃機関を例にして説明してある）では、点火プラグ１を燃焼室３の略中心に配設してある。そして、シリンダ中心軸線からオフセットさせて一側側に吸気ポート５を２つ備えるようにすると共に、当該吸気ポート５のシリンダ開口部下方或いはその付近で、燃料を噴射するための噴口４ａが２つの吸気ポート５の間から燃焼室３内に臨むように、燃料噴射弁４を配設するようになっている。
【００３５】
燃料噴射弁４は、シリンダヘッド２へ俯角θ＝３５°（後述するように、θ＝３５°±１０°とするのが好ましい。）で取り付けられると共に、噴口４ａから噴射される燃料の噴霧円錐角αが７０°（後述するように、α＝７０°±２０°とするのが好ましい。）になるように設定されている。これにより、燃料噴射弁４から噴射される燃料噴霧８は、燃料噴霧８の上縁線８ａにおいても、噴口４ａを通りシリンダ中心軸と直交する線（シリンダが垂直配置される場合は、即ち、水平線である）より下側（ピストン側）に位置するように設定されることになる。即ち、シリンダヘッド２の下面（燃焼室壁３の上面壁３ａ）へ燃料噴霧８が付着し、燃費，ＨＣ，スモーク等が悪化するのを防止すべく、燃料噴霧８を、噴口４ａを通りシリンダ中心軸と直交する線より上方（シリンダヘッド側）に向けて進行させないようにしてある。
【００３６】
ピストン７の冠面（頂面）の吸気側には、上死点付近において、燃料噴霧８の概ね全てを受けるような凹曲面９が形成されており、排気側には燃焼室壁面３ａと干渉しない程度のシリンダヘッド側に凸の傾斜を持つ平面部（斜面）１０が形成されている。なお、前記凹曲面９と平面部１０とが交わって形成される稜線１１が、点火プラグ１から適切な距離だけ排気側にオフセットされるように、前記凹曲面９と平面部１０とは形成される。
【００３７】
ここで、上記構成を有する本実施形態に係る直噴火花点火式内燃機関において奏せられる作用について説明する。
一般に、直噴火花点火式内燃機関においては、低回転・低負荷域、特にアイドル運転領域等の燃料供給量が少ない領域での燃焼安定性を改善することが重要な課題の一つであるが、図２に示すように、燃料終了噴時期が上死点付近である場合が最も燃焼安定度が高いため、最小限、この上死点付近での燃料噴霧の管理が重要となってくる。
【００３８】
本実施形態における燃料噴射弁４によれば、図３（Ａ）に示すように、シリンダ１２内に噴射された燃料の噴霧８は、吸・排気方向の断面視における燃料噴霧８の上縁線８ａが、噴口４ａを通るシリンダ中心軸直交軸（シリンダが垂直配置される場合は、即ち水平線である）よりも下方（ピストン側）に向くので、燃料噴霧８は概ね噴口４ａの位置よりも上方（燃焼室３の上面壁３ａ側）へは直接噴射（衝突或いは進行）されない。なお、噴射終了期間が上死点付近からずれ、ピストン位置が下方となっても、噴霧の到達距離が急激に短くなるため（噴霧貫徹力が小さくなるため）、燃焼室３の壁面３ａや排気側シリンダ内壁１２ｂへの噴霧８の衝突は避けることができるものである。一方、燃料噴霧８の下縁線８ｂは、噴口４ａを通りシリンダ中心軸に平行な線よりも排気側に傾くので、燃料噴霧８が直接吸気側シリンダ内壁１２ａに衝突することは概ね避けることができる。
【００３９】
ピストン７の冠面上に形成された前記稜線１１は、上死点付近において、燃料噴霧８の概ね全てを凹曲面９で受けられるような高さ及び位置に設置してあるため、燃料噴霧８は当該稜線１１により規制され、燃料の燃焼室壁３ａやシリンダ１２の内壁１２ａ，１２ｂへの付着が極力抑制されることになるので、当該燃料の付着による悪影響、例えばスモークやＨＣの増加や潤滑油の希釈等の悪影響を極力抑制することができる。
【００４０】
なお、図４に示すように、噴射された燃料噴霧８は、凹曲面９に衝突することによって、微粒化されつつ燃料粒子速度を落として巻き上がってシリンダ内に浮遊するため、吸気との混合が促進されることとなり、従来に比べ燃焼改善を図ることができる。更に、稜線１１が点火プラグ１から適切な距離だけ排気側にオフセットされているので、気化された燃料が点火プラグ１の周囲に集まり易くなっており、これにより着火性を大幅に改善することができる。
【００４１】
また、高負荷運転時において、ピストン７の冠面形状を本実施形態のように形成することによるスモーク低減効果が大きいのは、図５の実験結果に示されるように、燃料噴射終了時期が上死点から上死点後１２０°ＣＡ（クランク角度）付近の範囲である。当該スモーク低減効果が大きいクランク角度範囲は、ピストン７が比較的燃料噴射弁４の近くにある場合或いはピストン摺動速度が速くシリンダ１２内のガス流動が大きい場合に相当し、噴射終了時期が上死点後１２０°ＣＡ前後というのは、まさしく後者の影響が強い場合である。
【００４２】
そのため、高負荷運転時のスモーク低減を図るためには、上死点後１２０°ＣＡ付近の噴射時期において、燃料噴霧中心が、燃料噴射弁４から最も遠いピストン７の冠面上の最排気側点に向くのが〔図６（Ａ）等参照〕、燃料の壁面付着を考慮した際には最適であり、それを達成できる燃料噴射弁４の取付角度はエンジンの寸法によって異なるが、概ね俯角θ＝３５°±１０°であり、そのため本実施形態では前述したように、燃料噴射弁４のシリンダヘッド２への取付角度を俯角θ＝３５°としているのである。そして、俯角θを３５°とした際には、燃料噴霧８の外延（詳しくは上縁線）が、噴口４ａを通りシリンダ中心軸線と直交する線より下方となるようにするためには、燃料の噴霧円錐角の最大値は、７０°となるのである。なお、同様に、燃料噴射弁４の取付角度の幅が２５°〜４５°（即ち、３５°±１０°）であれば、噴霧円錐角は５０°〜９０°（即ち７０°±２０°）となる。
【００４３】
なお、例えば、噴霧錐角αを７０°とし、燃料噴射弁４の取り付け俯角θを変化させた場合（吸気行程噴射）の燃焼安定性と未燃燃料（ＨＣ）排出量の変化の様子を、図２１に示しておく。かかる実験結果からも、噴霧円錐角αを約７０°とした場合には、燃料噴射弁４の取付角度が、約３５°〜約４５°であることが好ましいことが解る。
【００４４】
このように、本実施形態によれば、直接火花点火式内燃機関の燃料供給の応答性が高いことによる過渡運転状態での応答性の向上や、層状燃焼とすることで希薄燃焼が可能となることによる燃費の向上等の効果を奏することができるのは勿論のこと、
更に、燃料噴射弁４の噴口４ａを、吸気ポート５のシリンダ開口部下方或いはその付近でシリンダ外周近傍に臨ませて燃料噴射弁４を（俯角３５°±１０°で）取り付けると共に、燃料噴霧８の噴霧円錐角αを７０°（±２０°）に設定することで、燃料噴霧８が噴口４ａを通りシリンダ中心軸線に直行する線より下側に向けて噴射されるようにし、かつ、ピストン７の冠面の吸気側に上死点付近の噴射時期で燃料噴霧８の概ね全てを受けるような凹曲面９を形成し、ピストン７の冠面の排気側には燃焼室壁３ａと干渉しない程度にシリンダヘッド側に向けて凸の傾斜を持つ平面部１０を形成し、前記凹曲面９と前記平面部１０との稜線１１を、点火プラグ１から適切な距離だけ排気側にオフセットさせるようにしたので、上死点付近の噴射時期では燃料が燃焼室壁やシリンダ内壁に付着することが最大限抑制できるため、スモークの増加や潤滑油の燃料による希釈等を抑制することができると共に、凹曲面９との衝突により微粒化されつつ巻き上げられ気化促進された燃料により燃焼改善を図ることができると同時に、前記気化促進された燃料が点火プラグ１の周囲に集められるため、着火性を大幅に改善することができる。
【００４５】
なお、第１の実施形態によれば、稜線１１の位置が、比較的限定されていないので設計自由度が高いという効果もある。
次に、第２の実施形態について説明する。
この第２の実施形態では、図６（Ａ），図６（Ｂ）に示すように、稜線１１の位置を、上死点後１２０°ＣＡ前後の噴射時期（ピストン位置）において、燃料噴霧８の外縁線８ｄ（下方外延）と交差できるような排気側の位置としている。その他の構成は、第１の実施形態と同様であるので説明は省略する。
【００４６】
本実施形態によれば、第１の実施形態と同様の効果を奏した上で、更に加えて、高速高負荷運転時等の燃料噴射期間が長い場合においても、ピストン７の冠面上の凹曲面９に燃料噴霧８を衝突させることが可能となるので、これにより微粒化や巻き上げによる混合促進や気化促進を図ることができ、以ってスモークの発生を抑制することが可能となる。
【００４７】
なお、上記各実施形態では、４弁式の内燃機関について説明したが、これに限らず２弁式或いは吸気２弁・排気１弁の３弁式等の他の弁数の内燃機関にも適用することができるものである。
また、上記各実施形態では、凹曲面９を備えるようにして説明したが、凹曲面９を備えずとも、即ち、ピストン冠面の吸気側の形状にとらわれることなく、ピストン冠面の排気側にピストン外方からピストン中心へ向けて徐々に隆起されシリンダヘッド側に凸に傾斜する平面部１０を設け、この平面部１０の最大隆起部に相当する稜線１１を、排気側に所定量オフセットさせるようにすると共に、適切な高さとなるように調整しておけば、燃焼室内の渦流ＴＦを促進させることができ燃焼改善を十分図れると同時に、燃料噴霧８の進行方向がピストン側（下方）を向くと共に、上死点付近の燃料噴射時期において、燃料噴霧８の進行が、前記隆起された稜線１１により規制されるため、燃料噴霧８が直接燃焼室壁３ａやシリンダ内壁１２ａ，１２ｂに付着することが最大限抑制できるため、スモークの増加や潤滑油の燃料による希釈等を抑制することができる。そして、ピストン７の冠面上に設けた前記稜線１１より吸気側のピストン冠面に燃料噴霧８を衝突せられ気化された燃料は、前記隆起された稜線１１により規制され点火プラグの周囲に集められるので、着火性を大幅に改善することができる。
【００４８】
この場合において、更に、少なくとも燃料噴射開始から上死点後１２０°ＣＡ付近までの燃料噴射時期において、燃料噴霧８の下方外縁線８ｄが当該稜線１１よりシリンダ下方を通過するように形成すれば、高速高負荷運転時等の燃料噴射期間が長い場合（上死点後１２０°ＣＡ付近で燃料噴射が終了するような場合）においても、ピストン７の冠面上に設けた前記稜線１１より吸気側の冠面に燃料噴霧を確実に衝突させることが可能となるので、これにより微粒化や巻き上げによる混合促進や気化促進を図ることができ、以ってスモークの発生を極力抑制することが可能となる。
【００４９】
続けて、第３の実施形態について説明する。
第３の実施形態は、図１で説明した内燃機関のピストン７の頂面形状などをより詳細に説明するものである。なお、第３の実施形態において、図１に示す吸気ポート５は、吸入空気が対向する排気弁下側のシリンダ壁面に衝突してピストン７頂面方向に下方に曲げられて、シリンダ内に、図中時計回り方向に、縦渦を形成するような形状となっている。その他の部分は、第１，第２の実施形態において既に説明したと同様であるので、説明は省略する。
【００５０】
即ち、第３の実施形態におけるピストン７は、図７（Ａ），図７（Ｂ）に示すような冠面形状を有する。
吸気弁１６（図８等参照）側に、凹曲面９が設けられている。
この凹曲面９は、吸気弁１６下側のスキッシュ部１９から滑らかに形成され始め、排気弁１７（図８等参照）側に行くに従って平らな底部を過ぎてから滑らかに盛り上がって、点火プラグ１よりも、すなわちシリンダ中心よりも排気弁１７側の距離Ｌの位置で最高となり、シリンダヘッド２側に凸の稜線１１を形成する。
【００５１】
凹曲面９は、ピストン７の頂面上で吸気弁１６側から排気弁１７側へ向かう方向と略直角方向（クランク軸と平行な方向）に同一高さの概略円筒面である。
稜線１１の最高部の高さは、上死点位置で燃料噴射弁４の噴口部以上の高さである。従って、上死点付近で噴射された場合、燃料噴霧のほとんど全てがこの稜線１１によりせき止められ、上方に曲げられて、対向する排気弁１７下側のシリンダボア面に直接到達することが抑制される。
【００５２】
稜線１１からは、排気弁１７側に、直線的に燃焼室ペントルーフ天井に沿って傾斜する斜面１３が形成されて、排気弁１７下側のスキッシュ部１４に連なっている。
更に、ピストン７の周縁部には、凹曲面９よりも高く、上死点位置でシリンダヘッド２と微小な間隙で相対するフラットな面の外周部１５が形成されている。尚、稜線１１は外周部１５よりも高く形成され、外周部１５と交差する位置まで延びている。
【００５３】
次に作用を説明する。
図８に示すように、ピストン７が吸気上死点付近にあるときに燃料が噴射される場合は、燃料がピストン７の凹曲面９に沿って進むが、稜線１１によるせき止め効果と、斜面１３とシリンダヘッド下面とで囲まれる燃焼室内で形成される時計回り方向の小さな縦渦２１による稜線１１の付近での上昇気流とにより、排気弁１７側へ進むことが抑制される。
【００５４】
また同時に、図示していないが、凹曲面９を取り囲む外周部15及びスキッシュ部１１，１４により燃料は巻き上げられ、直接シリンダボアに付着することが抑制される。
従って、燃料が直接対向するシリンダ壁面へ衝突付着することがほぼ全面的に避けられる。これにより、図１３の実験結果から明らかなように、フラットピストンに比べて、噴射時期が吸気上死点付近のときの潤滑オイル希釈ガソリン量を大幅に低減できる。尚、潤滑オイル希釈ガソリン量は、燃料噴射量から、排気組成分析により求めた排気出口側での燃料量を減算して得たものであり、この差分が潤滑オイル中に混入したものと推定した。また、図１３中のＭＰＩレベルとは吸気系にて燃料を噴射するマルチポイントインジェクションタイプの場合の潤滑オイル希釈ガソリン量である。
【００５５】
更に、図１４の実験結果から明らかなように、各種の噴霧角を有する燃料噴射弁に対しても、フラットピストンに比べて、所定の凹面を設けた本発明によるピストンは、潤滑オイル希釈ガソリン量の点で有利である。従って、本発明では、より狭い噴霧角、すなわち、貫徹力の大きな噴霧に対しても潤滑オイル希釈ガソリン量を低減でき、燃料噴射弁の設定可能な噴霧角の範囲を大きく拡大できる。
【００５６】
図９には吸気行程前半に噴射された場合の噴霧を示す。吸気流により、縦渦２２と２３とが形成される。これは、本発明の特徴で、既述した従来例では実現できない。
この２つの縦渦２２，２３により、燃料噴霧が２つの渦に分散され、特に、縦渦２２に取り込まれた燃料は、点火プラグ１に直接衝突することを縦渦２３により抑制されるため、点火プラグ１周りに過度に燃料が付着する問題が解決され、吸気行程前半で噴射した場合のスモークの発生を、図１５の実験結果に示すように大幅に低減できる。無論、凹曲面９による燃料噴射弁４と衝突壁面との距離拡大によるピストン７の頂面での衝突噴霧の濡れ厚さ低減も上記スモーク低減の一要因である。
【００５７】
一方、ピストン７がその後下降し上昇する際に、稜線１１の付近では、縦渦２２で上側に吹き上げられる噴霧と縦渦２３で対向され減速する噴霧とでちょうど燃料の塊の保存部分２４が図１０に示すように観察され、ピストン７が圧縮上死点付近の点火時期に近づくと、図１１に示すように、燃料の塊２４はちょうど点火プラグ１の付近にくる。これにより、燃料噴射時期がある程度早い場合は、この稜線１１に燃料蒸気塊が形成される特徴により、図１６の実験結果に示すように燃料の安定度が高くなる効果がある。
【００５８】
更に、図１２に示すように、点火時期付近に燃料を噴射する場合は、本発明のピストンでは、燃料噴霧がシリンダ内の縦渦２５に対向してピストン凹曲面９表面を点火プラグ１側に進むので、微粒化や蒸発が促進されて、点火に適した燃料蒸気塊が形成されると共に、過度の燃料の点火プラグ１周りへの付着やそれに起因する点火プラグ１のくすぶりや濡れの問題を未然に防止できる。このとき、斜面１３の上で形成されるもう１つの微小な縦渦２６は、燃料が稜線１１を越えて排気弁１７下のシリンダボアに直接付着してオイルを希釈しない作用をもつ。かくして、本発明による内燃機関では、圧縮行程時の燃料噴射時も安定した燃焼を実現できる。
【００５９】
図１７（Ａ），図１７（Ｂ）には、第４の実施形態を示す。
図７（Ａ），図７（Ｂ）に示したものでは、ピストン７の凹曲面９の底部は平面に近いものであったが、当該第４の実施形態では、ピストン７の凹曲面９’をより真の円筒面に近づけている。但し、凹曲面９’の最底部の外周部15からの深さは前述の実施形態の凹曲面９の深さと同一にしている。
【００６０】
従って、凹部の容積を小さくできるので、圧縮比を高くとることが可能となる。すなわち、基本的効果については、図１３と図１６の斜線内で略同一でありながら、圧縮比を高くとれる。
更に続けて、本発明の第５の実施形態について説明する。
基本構成としては、第１，第２の実施形態で説明した図１と略同様であるが、当該第５の実施形態は、燃料噴射弁４の取付角度などを詳細に例示するものである。
【００６１】
つまり、第５の実施形態では、燃料噴射弁４は、該燃料噴射弁４から噴射される燃料噴霧の円錐角をαとしたとき、該噴霧の中心軸のシリンダヘッド１下面に対する角度 (燃料噴射弁のシリンダヘッドへの取り付け俯角。以下適宜噴霧軸方向角度という) θが、α／２≦θ≦９０°−α／２となるように取付け方向を設定する。
【００６２】
そして、前記燃料噴霧の円錐角αが、７０°±２０° (５０°≦α≦９０°) に設定され、より好ましくは６５°±５° (６０°≦α≦７０°) の範囲に設定され、該設定された噴霧円錐角αの範囲内にあることにより、該燃料噴射弁９から斜め下方を指向する噴霧が燃焼室３内に供給され、例えば６０°≦α≦７０°の円錐角αを持つ噴霧は、その上縁線８ａ及び下縁線８ｂに挟まれた範囲に大部分の燃料噴霧が含まれる。
【００６３】
以下詳細に説明すると、前記のように円錐角α及び噴霧軸方向角度θを設定することにより、燃料はシリンダヘッド下面３ａや、燃料噴射弁４の噴孔直下側のシリンダの壁面１２ａ及び噴孔と対向する壁面１２ｂに直接衝突することがなく、また、燃料噴射期間を主として吸気行程中に設定することにより、吸気上死点近傍を除いてピストン７の冠面にも直接衝突することがない。
【００６４】
吸気上死点近傍では、ピストン７の冠面が燃料噴射弁４の噴孔４ａに最も近い位置にあり、燃料噴霧のペネトレーション (貫徹力) がいかに短くとも噴霧はピストン冠面に衝突する。しかし、噴霧円錐角αが大きいと、冠面との衝突によっても冠面上に形成される液膜はスモークを発生させないことは後述するが図１８に示されるとおりである。これは、燃料噴射弁４の燃料噴射圧力が５ＭＰａ±１ＭＰａという高圧に設定されているため、衝突後の噴霧がピストン冠面で反射し空間に広く散布されるためである。また、シリンダ１２は隠れていて、噴霧が直接当たることはない。
【００６５】
図１８には、ピストン冠面が平らな場合の、噴霧円錐角αと燃料噴射終了時期が吸気上死点ＴＤＣ及び３０°、６０°、９０°ＡＴＤＣにおけるスモーク濃度との相関線を概念的に示したものである。即ち、噴霧円錐角αが大きければ、スモーク濃度は低減するという非常に強い相関があることである。
この相関線の横軸即ち噴霧円錐角との交点はスモーク濃度ゼロの要求噴霧円錐角である。この値はおおよそ５０°から９０°好ましくは６０°から７０° (軸対称噴霧で±３０°から３５°) となる。
【００６６】
例えば、この噴霧円錐角αが７０°の場合、燃焼室に前述した角度θを３５°≦θ≦５５°に設定すると、噴霧稜線の下縁線８ｂはシリンダヘッド２下面に対して７０°から９０°となり、角度θ＝５５°の場合、同９０°と殆どシリンダ２壁面に平行に近くなり、円錐角を取り巻く微粒子噴霧群はシリンダ壁面に衝突する。したがって、これ以上大きい値の噴霧円錐角αはシリンダ壁面を濡らすために使用できない。一方、噴霧稜線の上縁線８ａは点火プラグ１を指向し、角度θが３５°≦θ≦５５°の場合、噴霧円錐角７０°の場合では、水平線に対し、０°から２０°下方となる。したがって、点火プラグ１を有する燃焼室３頂壁側へは噴霧を行かせないようにすることができる。
【００６７】
さらに、このような広噴霧円錐角化の要求は、ペネトレーションとよぶ噴霧貫徹力を小さくできる効果があり、ペネトレーションを短くできると燃料の壁面への到達が回避できる。
図１９には、噴霧円錐角αとペネトレーションの相関を示す。噴霧円錐角αが大きくなると、直線的にペネトレーションは短くなり、シリンダボア径よりも短くなると、シリンダ壁面への衝突は回避できる。噴霧円錐角αに対して前述のスモーク濃度ゼロを達成できる噴霧角αを６０°から７０°とした場合ではペネトレーションは９０mmから８０mm (噴孔からの噴霧到達距離) となり、ほぼシリンダ内壁面に衝突しない長さとなる。
【００６８】
さらに、噴霧円錐角αとシリンダ内壁面への燃料付着による潤滑油希釈の量を示す値 (縦軸) との相関を図２０に示す。この潤滑油希釈燃料量がＭＰｉ (マルチポイントインジェクション方式) の値相当の要求噴霧円錐角は７０°である。したがって、６０°〜７０°という噴霧円錐角αの値は、２つの要求、即ち、スモーク発生を抑制すると共に、噴霧の壁衝突を回避できることにより潤滑不良を回避できるという直噴火花点火式内燃機関の２つの大きな問題を同時に対策できる。
【００６９】
この場合、燃料噴射弁の噴霧軸方向の角度θをα／２≦θ≦９０°−α／２とする制約は、円錐角の噴霧８の上縁線８ａが点火プラグ１を直撃する方向へいくのを回避するために必要である。即ち、噴霧の下縁線８ｂがシリンダ内壁面へ衝突することを回避するのと同じように噴霧の上縁線８ａは、点火プラグ１のある燃焼室３上部空間へ向かって点火プラグ１を直撃することが無いようにしないようにしなければならない。これは、液滴を含む噴霧が点火プラグ１を直撃すると燃料液膜を形成し、拡散燃焼を発生することにより、すすが発生し、点火プラグ１がすすによりくすぶってスパークギャップ間で火花が飛ばなくなり、失火する原因になることから絶対に回避しなければならないからである。
【００７０】
以上のことから、燃料噴射弁４を吸気ポート５底部に設置する場合、広噴霧円錐角５０°≦α≦９０°好ましくは６０°≦α≦７０°との兼ね合いにより、噴霧軸方向の角度θはα／２≦θ≦９０°−α／２とすることが必須となる。
このような噴霧軸方向角度θと噴霧円錐角αとの組み合わせにより、燃料噴射終了時期が吸気行程において、吸気上死点から上死点後１２０°までの間、高負荷運転ではスモークの発生がゼロであり、低温実験時では潤滑油を希釈する衝突燃料も少なくできるので、当該第５の実施形態によっても、図１３及び図１５等と同様の結果を得ることができるものである。
【００７１】
また、燃料噴射弁４を吸気ポート５の底部に取り付けることで、従来の４弁内燃機関 (ガソリン機関) の本体構造をそのまま使用でき、コストアップを回避できる。
【図面の簡単な説明】
【図１】本発明の第１の実施形態に係る直噴火花点火式内燃機関の構成を示す断面図。
【図２】直噴火花点火式内燃機関の燃焼安定性を説明するための図。
【図３】（Ａ）は、同上実施形態における直噴火花点火式内燃機関のピストン上死点付近での燃焼室内の状態を説明するための断面図。（Ｂ）は、（Ａ）に示された燃焼室の上方矢視図（燃料噴霧の衝突範囲８ｃと稜線１１との位置関係を説明する図）。
【図４】同上実施形態における燃料噴霧の巻き上がりの状態を説明する図。
【図５】同上実施形態におけるスモークの低減効果を説明する図（高負荷運転時）。
【図６】（Ａ）は、第２の実施形態における上死点後１２０°ＣＡ前後の噴射時期（ピストン位置）での燃焼室内の状態を説明するための断面図。（Ｂ）は、（Ａ）に示された燃焼室の上方矢視図（燃料噴霧の衝突範囲８ｄと稜線１１との位置関係を説明する図）。
【図７】本発明の第３の実施形態のピストン冠面形状を示す平面図及び縦断面図。
【図８】同上実施形態における吸気上死点付近で噴射した場合の噴霧を示す図。
【図９】同上実施形態における吸気行程前半で噴射した場合の噴霧を示す図。
【図１０】同上実施形態における燃料塊の保存部分を示す図
【図１１】同上実施形態における燃料塊の保存部分を示す図
【図１２】同上実施形態における点火時期付近で噴射した場合の噴霧を示す図。
【図１３】潤滑オイル希釈ガソリン量の噴射時期特性図。
【図１４】潤滑オイル希釈ガソリン量の噴霧角特性図。
【図１５】スモークの噴射時期特性図。
【図１６】安定度の噴射時期特性図。
【図１７】本発明の第４の実施形態のピストン冠面形状を示す平面図及び縦断面図。
【図１８】本発明の第５の実施形態における噴霧円錐角αに対するスモーク濃度の関係を示す図。
【図１９】噴霧円錐角αに対するペネトレーションの関係を示す図。
【図２０】噴霧円錐角αに対する潤滑油希釈燃料量の関係を示す図。
【図２１】燃料噴射弁の取り付け俯角に対する燃焼安定度，ＨＣ排出量の関係を示す図。
【符号の説明】
１  点火プラグ
２  シリンダヘッド
３  燃焼室
４  燃料噴射弁
５  吸気ポート
７  ピストン
８  燃料噴霧
８ａ  噴霧稜線の上縁線
８ｂ  噴霧稜線の下縁線
９，９’  凹曲面
10  平面部（斜面）
11  稜線
12  シリンダ
13  斜面
14  スキッシュ部
15  外周部
16  吸気弁
17  排気弁
19  スキッシュ部
α      噴霧円錐角
θ      噴霧軸方向角度
【図１】
0003861825.tif 000002
【図２】
0003861825.tif 000003
【図３】
0003861825.tif 000004
【図４】
0003861825.tif 000005
【図５】
0003861825.tif 000006
【図６】
0003861825.tif 000007
【図７】
0003861825.tif 000008
【図８】
0003861825.tif 000009
【図９】
0003861825.tif 000010
【図１０】
0003861825.tif 000011
【図１１】
0003861825.tif 000012
【図１２】
0003861825.tif 000013
【図１３】
0003861825.tif 000014
【図１４】
0003861825.tif 000015
【図１５】
0003861825.tif 000016
【図１６】
0003861825.tif 000017
【図１７】
0003861825.tif 000018
【図１８】
0003861825.tif 000019
【図１９】
0003861825.tif 000020
【図２０】
0003861825.tif 000021
【図２１】
0003861825.tif 000022